(57)【要約】番組編成スケジュールで編成された放送時間通りに番組を放送すると共に、放送時間を超えた映像・音声も同時に放送することにより、番組製作者側は放送時間の制約を超えた番組制作ができる。また、視聴者は、ひとつの番組に対して、放送時間内のバージョンと放送時間以上の映像・音声が加わったロングバージョンの２種類の楽しみ方ができる。
2002087233.tif 000002
【特許請求の範囲】
【請求項１】
素材データの一部をカット素材データとしてカットすることによって本番用素材データを生成し、当該生成された本番用素材データを送信するデータ送信装置であって、前記カット素材データがカットされた前記本番用素材データ上の位置を示す蓄積再生制御テーブルを生成する蓄積再生制御テーブル生成部と、前記生成された蓄積再生制御テーブルを送信する送信手段と、を具備することを特徴とするデータ送信装置。
【請求項２】
前記蓄積再生制御テーブルは、前記本番用素材データと前記カット素材データとの再生切替時刻を示す切替時刻カウンタデータを有することを特徴とする請求の範囲１記載のデータ送信装置。
【請求項３】
前記蓄積再生制御テーブルは、前記切替時刻カウンタと前記切替カウンタに対するコンポーネント情報とを有することを特徴とする請求の範囲２記載のデータ送信装置。
【請求項４】
前記蓄積再生制御テーブルは、前記本番用素材データとカット素材データとの再生切替数を示す切替時刻カウンタデータ数を有することを特徴とする請求の範囲１記載のデータ送信装置。
【請求項５】
前記蓄積再生制御テーブルは、当該蓄積再生制御テーブルと番組に関する付属情報である番組案内情報とをリンクさせるための蓄積再生制御識別子を有することを特徴とする請求の範囲１記載のデータ送信装置。
【請求項６】
番組編成を行って蓄積番組の番組に対して蓄積再生制御識別子を付与して番組スケジュール及び番組情報を生成して出力する番組編成装置と、番組を作成するために撮影された複数のビデオ素材を編集して番組素材及びカット素材とカット開始の時計カウンタと及びカット終了の時計カウンタを作成し、出力する請求の範囲２記載のビデオ編集装置と、前記ビデオ編集装置と前記番組編成装置から受信したデータをもとに蓄積再生制御テーブルを生成する請求の範囲３記載の蓄積再生制御テーブル生成装置と、前記番組編成装置から番組スケジュールと番組情報を受け取り、各種番組案内情報を構成するテーブルを生成し前記蓄積再生制御テーブル生成装置から受け取った蓄積再生制御テーブルをあわせて番組案内情報を出力する請求の範囲４記載の番組案内情報生成送出装置と、前記ビデオ編集装置にて作成した番組素材とカット素材を受け取り、前記番組編成装置から受け取った番組スケジュールに従って番組素材ビデオとカット素材ビデオを再生するビデオ再生装置と、前記ビデオ再生装置が再生した映像・音声を受け取り、デジタルＡＶ（Ａｕｄｉｏ  Ｖｉｓｕａｌ）ストリームに変換して出力するＡＶストリーム生成送出装置と、前記ＡＶストリーム生成送出装置と前記番組案内情報生成送出装置からそれぞれデジタルＡＶストリームと番組案内情報を受け取り、多重化して送出する多重化装置から構成されるデータ送信装置。
【請求項７】
所定の送信装置から送信されたデータを受信するデータ受信装置であって、受信された番組再生用の本番用素材データと、当該本番用素材データの所定位置に挿入するためのカット素材データとを蓄積する素材データ蓄積手段と、前記カット素材データの前記本番用素材データに対する前記挿入位置を示す蓄積再生制御テーブルを受信し、当該蓄積再生制御用テーブルに基づいて、前記素材データ蓄積部の前記本番用素材データと前記カット素材データとをつなぎ合わせて番組を再生する蓄積再生制御手段と、を具備することを特徴とするデータ受信装置。
【請求項８】
所定の送信装置から送信されたデータを受信するマルチビュー蓄積放送サービスシステムのデータ受信装置であって、受信された番組再生用の本番用素材データと、当該本番用素材データの所定位置に挿入するためのカット素材データとを蓄積する素材データ蓄積手段と、前記カット素材データの前記本番用素材データに対する前記挿入位置を示す蓄積再生制御テーブルを受信し、当該蓄積再生制御用テーブルに基づいて、前記素材データ蓄積部の前記本番用素材データと前記カット素材データとを切り替えて番組を再生する蓄積再生制御手段と、を具備することを特徴とするデータ受信装置。
【請求項９】
放送される番組に関する番組案内情報を受信し、当該番組案内情報に含まれる番組スケジュール情報の個別番組情報中に蓄積再生用のコンポーネント情報が登録されている蓄積番組を蓄積する際、前記番組スケジュール情報記載の該当蓄積番組の番組開始時刻と蓄積開始時刻とを記録すると共に、前記個別番組情報に記載の全てのコンポーネント情報に対応する映像コンポーネント、音声コンポーネントと、前記蓄積再生用のコンポーネント情報記載の蓄積再生制御識別子に該当する蓄積再生制御識別子を持つ蓄積再生制御テーブルを蓄積することを特徴とする請求の範囲７または８記載のデータ受信装置。
【請求項１０】
前記蓄積番組を再生する際に、前記蓄積再生テーブルに登録されているカウンタ情報の順番に、前記カウンタ情報記載の切替時刻カウンタのタイミングで該当カウンタ情報記載の映像コンポーネント情報、音声コンポーネント情報に対応する映像コンポーネント、音声コンポーネントを切替えて再生することを特徴とする請求の範囲９記載のデータ受信装置。
【請求項１１】
前記番組開始時刻と蓄積開始時刻から、前記蓄積番組の各映像コンポーネント、音声コンポーネントを蓄積していない時間を算出し、該当蓄積番組を前記蓄積再生テーブルのカウンタ情報に従って各コンポーネントを再生する際に、コンポーネントを蓄積していない時間は各コンポーネントを再生しないことを特徴とする請求の範囲１０記載のデータ受信装置。
【請求項１２】
前記蓄積再生制御テーブルの情報と番組に関する付属情報である番組案内情報とを使って、蓄積再生番組をユーザに選択させるように表示する画面制御部を有することを特徴とする請求の範囲７または８記載のデータ受信装置。
【請求項１３】
所定の課金を条件に前記カット素材データの再生を許可する再生許可手段を有することを特徴とする請求の範囲７または８記載のデータ受信装置。
【請求項１４】
前記素材データ蓄積手段に蓄積されたカット素材データは、所定のスクランブルがかけられており、当該スクランブルを解くためのデスクランブラと、所定の課金を条件に当該デスクランブラに対してスクランブルを解く処理を許可する許可手段を具備し、課金を条件に前記蓄積されたカット素材データを再生することを特徴とする請求の範囲７または８記載のデータ受信装置。
【請求項１５】
伝送路を利用してデータを送受信するマルチビュー蓄積放送サービスシステムであって、データを送信するデータ送信装置は、カットされた番組データであるカット素材データが、実際に放送される本番用素材データのどの位置からカットされたかを示す蓄積再生制御テーブルを生成する蓄積再生制御テーブル生成部を有し、さらに、前記データ送信装置からデータを受信するデータ受信装置は、前記本番用素材データと前記カット素材データとを蓄積する素材データ蓄積部を有し、さらに、前記蓄積再生制御テーブルを使って、前記素材データ蓄積部の前記本番用素材データと前記カット素材データとをつなぎ合わせて番組を再生する蓄積再生制御部を有することを特徴とするマルチビュー蓄積放送サービスシステム。
【請求項１６】
伝送路を利用してデータを送受信するマルチビュー蓄積放送サービスシステムであって、データを送信するデータ送信装置は、カットされた番組データであるカット素材データが、実際に放送される本番用素材データのどの位置からカットされたかを示す蓄積再生制御テーブルを生成する蓄積再生制御テーブル生成部を有し、さらに、前記データ送信装置からデータを受信するデータ受信装置は、前記本番用素材データと前記カット素材データとを蓄積する素材データ蓄積部を有し、さらに、前記蓄積再生制御テーブルを使って、前記素材データ蓄積部の前記本番用素材データと前記カット素材データとを切り替えて番組を再生する蓄積再生制御部を有することを特徴とするマルチビュー蓄積放送サービスシステム。
【請求項１７】
伝送路を利用してデータを送受信するマルチビュー蓄積放送サービスシステムであって、前記データ送信装置の前記蓄積再生制御テーブルは、前記本番用素材データとカット素材データとの再生切替時刻を示す切替時刻カウンタデータを有することを特徴とする請求の範囲１５または１６記載のマルチビュー蓄積放送サービスシステム。
【請求項１８】
伝送路を利用してデータを送受信するマルチビュー蓄積放送サービスシステムであって、前記データ送信装置の前記蓄積再生制御テーブルは、前記切替時刻カウンタと前記切替カウンタに対するコンポーネントとを有することを特徴とする請求の範囲１５記載のマルチビュー蓄積放送サービスシステム。
【請求項１９】
伝送路を利用してデータを送受信するマルチビュー蓄積放送サービスシステムであって、前記データ送信装置の前記蓄積再生制御テーブルは、前記本番用素材データとカット素材データとの再生切替数を示す切替時刻カウンタデータ数を有することを特徴とする請求の範囲１５または１６記載のマルチビュー蓄積放送サービスシステム。
【請求項２０】
前記データ受信装置は、所定の課金を条件に前記カット素材データの再生を許可する再生許可手段を有することを特徴とする請求の範囲１５または１６記載のマルチビュー蓄積放送サービスシステム。
【請求項２１】
前記素材データ蓄積手段に蓄積されたカット素材データは、所定のスクランブルがかけられており、前記データ受信装置は、当該スクランブルを解くためのデスクランブラと、所定の課金を条件に当該デスクランブラに対してスクランブルを解く処理を許可する許可手段を具備し、課金を条件に前記蓄積されたカット素材データを再生することを特徴とする請求の範囲１５または１６記載のマルチビュー蓄積放送サービスシステム。
【請求項２２】
番組素材を、番組編成を行う番組編成装置から受け取った該当番組の継続時間に合うように番組素材の一部をカットして編集する時に、カット開始場所に対する番組素材の先頭からカウントした時計カウンタとカット終了場所に対する番組素材の先頭からカウントした時計カウンタを記録し、カットした複数の素材をつなぎ合わせてカット素材を生成すると共に、番組の継続時間内に収まる番組素材を生成することを特徴とするビデオ編集装置。
【請求項２３】
番組編成を行う番組編成装置から少なくとも蓄積再生番組であることを識別する蓄積再生制御識別子、本番素材及びカット素材に対する映像コンポーネント情報・音声コンポーネント情報を受け取り、前記カット開始場所の時計カウンタ情報とカット終了後の時計カウンタ情報と合わせて蓄積再生制御テーブル生成装置に出力することを特徴とする請求の範囲２２記載のビデオ編集装置。
【請求項２４】
前記蓄積再生制御識別子と本番素材及びカット素材に対する映像コンポーネント情報・音声コンポーネント情報とカット開始場所の時計カウンタ情報とカット終了後の時計カウンタ情報を受け取り、本番素材とカット素材の再生切替時刻を記す切替時刻カウンタと、前記切替時刻に再生を切替るべき切替先の映像コンポーネント情報と音声コンポーネント情報からなる切替カウンタの設定値として、それぞれ切替時刻カウンタをカット開始場所の時計カウンタ、映像コンポーネント情報と音声コンポーネント情報をカット素材の映像コンポーネント情報及び音声コンポーネント情報とした切替カウンタと、切替時刻カウンタをカット終了場所の時計カウンタ、映像コンポーネント情報と音声コンポーネント情報を本番素材の映像コンポーネント情報及び音声コンポーネント情報とした切替カウンタを生成し、すべての切替カウンタを切替時刻カウンタ順に並べ、前記番組再生制御識別子と合わせて蓄積再生制御テーブルを生成することを特徴とする蓄積再生制御テーブル生成装置。
【請求項２５】
伝送路を利用してデータを送受信するマルチビュー蓄積放送サービス方法であって、データを送信するデータ送信装置は、カットされた番組データであるカット素材データが、実際に放送される本番用素材データのどの位置からカットされたかを示す蓄積再生制御テーブルを生成する蓄積再生制御テーブル生成部を有することを特徴とするマルチビュー蓄積放送サービス方法。
【請求項２６】
伝送路を利用してデータを送受信するマルチビュー蓄積放送サービスプログラムを記録した記録媒体であって、データを送信するデータ送信装置は、カットされた番組データであるカット素材データが、実際に放送される本番用素材データのどの位置からカットされたかを示す蓄積再生制御テーブルを生成する蓄積再生制御テーブル生成部を有することを特徴とするマルチビュー蓄積放送サービスプログラムを記録した記録媒体。
【請求項２７】
伝送路を利用してデータを送受信するマルチビュー蓄積放送サービスプログラムであって、データを送信するデータ送信装置は、カットされた番組データであるカット素材データが、実際に放送される本番用素材データのどの位置からカットされたかを示す蓄積再生制御テーブルを生成する蓄積再生制御テーブル生成部を有することを特徴とするマルチビュー蓄積放送サービスプログラム。
【請求項２８】
番組編成装置から少なくともチャンネル識別子とチャンネルに対する本番素材の映像・音声及びカット素材の映像・音声に対応した映像コンポーネント情報と音声コンポーネント情報と各番組の番組識別子と番組開始時刻で構成される番組スケジュールと、各番組の番組識別子と番組の継続時間と番組名と蓄積再生制御識別子と蓄積再生内容と蓄積再生継続時間からなる番組情報を受け取って、チャンネル識別子と、当該番組案内情報の内容に変更があったときに番号を変更し、データ受信装置に当該番組案内情報に変更があったことを認識させるためのバージョン番号と、当該チャンネルで放送される番組に関して番組開始時刻順に番組識別子と番組開始時刻と番組継続時間と番組内容情報と本番素材の映像・音声に関する識別情報を記載した番組素材に対するコンポーネント情報から構成される個別番組情報を記載した番組スケジュール情報テーブルを生成する際に、前記番組情報中の番組のうち前記蓄積再生制御識別子に有効値が登録されている場合、種別が蓄積再生番組、映像・音声がカット素材の映像・音声コンポーネント情報、番組情報中の蓄積再生内容及び蓄積再生継続時間を合わせた蓄積再生用のコンポーネント情報を個別番組情報に加えて番組スケジュール情報テーブルを生成すると共に、前記蓄積再生制御テーブル生成装置から前記蓄積再生制御テーブルを受け取り、当該蓄積再生制御テーブル中の番組開始時刻として蓄積再生制御識別子と同値の蓄積再生制御識別子を持つ番組の開始時刻を前記蓄積再生制御テーブルに登録し、前記番組スケジュール情報テーブルと蓄積再生制御テーブルを合わせて番組案内情報として生成することを特徴とする番組案内情報生成装置。
【発明の詳細な説明】
技術分野
本発明は、デジタル放送におけるマルチビュー蓄積放送サービスシステム及び、それに関する、装置、方法、記録媒体並びにプログラムに関する。
背景技術
従来の番組の放送の技術を図１の放送システムを用いて説明する。
放送システムにおいて、２００１は番組を作成するために撮影された複数のビデオ素材、２００２は前記ビデオ素材２００１を編集して１本の番組を作成するためのビデオ編集装置、２００３は前記ビデオ編集装置２００２にて前記ビデオ素材２００１を編集して作った編集済みビデオ、２００４は番組編成を行い、番組スケジュール及び番組情報を出力する番組編成装置、２００５は前記編集済みビデオ２００３を受け取り、前記番組編成装置２００４から受け取った番組編成スケジュールに従って編集済みビデオを再生するビデオ再生装置、２００６は前記ビデオ再生装置２００５が再生した映像・音声を受け取り、デジタルＡＶストリームに変換して出力するＡＶストリーム生成送出装置、２００７は前記番組編成装置２００４から番組スケジュールと番組情報を受け取り、番組案内情報を生成し送出する番組案内情報生成送出装置、２００８は前記ＡＶストリーム生成送出装置２００６と番組案内情報生成送出装置２００７からそれぞれデジタルＡＶストリームと番組案内情報を受け取り、多重化して送出する多重化装置である。  以上のように構成された放送システムにおいて、番組を放送する動作を以下に説明する。
ここで、番組案内情報の例としてＤＶＢ／ＳＩ規格（ＥＳＴ３００  ４６８  Ｄｉｇｉｔａｌ  Ｂｒｏａｄｃａｓｔｉｎｇ  ｓｙｓｔｅｍｓ  ｆｏｒ  ｔｅｌｅｖｉｓｉｏｎ，ｓｏｕｎｄ  ａｎｄ  ｄａｔａ  ｓｅｒｖｉｃｅｓ；Ｓｐｅｃｉｆｉｃａｔｉｏｎ  ｆｏｒ  Ｓｅｒｖｉｃｅ  Ｉｎｆｏｒｍａｔｉｏｎ（ＳＩ）ｉｎ  Ｄｉｇｉｔａｌ  Ｖｉｄｅｏ  Ｂｒｏａｄｃａｓｔｉｎｇ（ＤＶＤ）ｓｙｓｔｅｍｓ（１９９８−２））及びＡＲＩＢ（社団法人  電波産業界）規格「ＡＲＩＢ  ＳＴＤ−Ｂ１０（平成９年６月１９日１．０版策定）」がある。
ビデオ編集装置２００２は複数のビデオ素材２００１を受け取り、その複数のビデオ素材をディレクターが編集して編集済みビデオ２００３を生成する。ビデオ編集装置２００２におけるビデオ編集の例を図２を用いて説明する。
ビデオ編集装置２００２に入力されたビデオ素材を２１０１〜２１０３の３素材だとする。これらの素材２１０１〜２１０３からディレクターがストーリーに沿ってつなぎ合わせ、１本の完全なビデオ素材２１０４を作成する。ところが各番組は放送時間が決まっており、完全なビデオ素材２１０４はその放送時間の枠を越える場合がある。そこでディレクターは次にビデオ２１０４から所々カットをする。この例では完全なビデオ２１０４素材から放送時間に合うように場面２１０６〜２１０９をカットして本番用素材２１１０を作成する。この本番用素材２１１０をビデオテープに落として図１中の編集済みビデオ２００３とする。また、ビデオ編集装置２００２は番組編成装置２００４から各番組の番組識別子を受け取り、生成した編集済みビデオ２００３をその番組に割り当てられたチャンネル識別子・番組識別子と共にビデオ再生装置２００５に入力する。ここでは例としてチャンネル識別子「１」、番組識別子「５００」の編集済みビデオが入力されたものとする。
番組編成装置２００４では、編成者が例えば１週間分の番組のスケジュールを組み、スケジューリングされた各番組の番組情報と共に登録を行う。番組スケジュールの例を図３に、番組情報の例を図４に記す。番組スケジュールは図３に示す通り、チャンネルごとにスケジューリングされており、どのチャンネルのスケジュールかはチャンネル識別子２２０１で識別できる。また、番組の開始時刻ごとに番組識別子が登録されている２２０２。例えば、”２０００／１１／１  １８：００”からは番組識別子５００の番組を放送することになる。番組情報は図４に示す通り、番組ごとに例えば番組識別子・番組の継続時間、番組名、出演者、番組内容が登録されている。例えば、番組識別子”５００”の番組は継続時間が”３時間”、番組名が”ドラマ「青い海」”、出演者”松下美子”、番組内容”人生をかけた戦いを描く”と登録されている。各番組は番組識別子によって番組スケジュールと番組情報で対応付けがとれている。
番組スケジュールと番組情報を登録された番組編成装置２００４は番組スケジュールをビデオ再生装置２００５へ、番組スケジュールと番組情報を番組案内情報生成送出装置２００７へ出力する。
番組識別子が付与された編集済みビデオ２００３及び番組スケジュールを受け取ったビデオ再生装置２００５は番組スケジュールに従って編集済みビデオ２００３を再生し、再生信号をチャンネル識別子と共にＡＶストリーム生成送出装置２００６に出力する。例えば、チャンネル識別子「１」、番組識別子「５００」の番組は、”２０００／１１／１  １８：００”に再生を開始する。
ＡＶストリーム生成送出装置２００６は前記ビデオ再生装置２００５からビデオの再生信号を受け取り、映像・音声をそれぞれ割り当てられた映像・音声コンポーネント情報と共にＴＳパケットストリームに変換して送出する。
番組案内情報生成送出装置２００７は前記番組編成装置２００４から番組スケジュールと番組情報を受け取り番組案内情報を生成し、番組案内情報をＴＳパケットストリーム化の後に多重化装置２００８に出力する。番組案内情報生成送出装置の生成する番組案内情報にはチャンネルに対する情報を記すチャンネル情報テーブル、チャンネル毎の番組スケジュール及び各番組の情報を記す番組スケジュール情報テーブル、チャンネル毎の現在及び次に放送する番組のみの情報を記す現在／次番組情報テーブルが含まれる。ここではそのうち、番組スケジュール情報テーブルの例を図５に記す。
番組スケジュール情報テーブルはテーブル識別子２４０１、チャンネル識別子２４０２、バージョン２４０３、番組数２４０４、個別番組情報２４０５で構成されている。テーブル種別２４０１には本テーブルが番組スケジュール情報テーブルであることを示す識別子を記述する。チャンネル識別子２４０２には該当チャンネルを記す識別子を記述する。バージョン２４０３は該番組情報テーブルのバージョン番号を記す。該バージョン番号はバージョン２４０３以降の項目の内容に変更があった場合に加算され、番組スケジュール情報テーブルを受信したデータ受信装置は該バージョン番号の変化により該番組スケジュール情報テーブルの変更を検出することができる。番組数２４０４は該番組情報テーブルに記載の番組の数が載っており、該当番組数の数分、個別番組情報２４０５がループして記述される。個別番組情報２４０５には番組名などの番組内容情報のほかに、コンポーネント情報２４０６が記載されている。コンポーネント情報２４０６には該当番組の種別・映像、音声に関するコンポーネント情報が記載される。データ受信装置は、このコンポーネント情報により、番組を構成する映像、音声のトランスポートストリームパケットを一意に識別できる。
ＡＶストリーム生成送出装置２００６、番組案内情報生成送出装置２００７からそれぞれ映像・音声のＴＳパケットストリームと番組案内情報ＴＳパケットストリームを受け取った多重化装置２００８はそれらを多重化後、出力する。
多重化装置２００８の出力イメージを図６に記す。多重化装置２００８はＡＶストリーム生成送出装置２００６から受け取ったメイン映像ＴＳパケットストリーム２５０１、音声１ＴＳパケットストリーム２５０２、音声２ＴＳパケットストリーム２５０３と、番組案内情報生成送出装置２００７から受け取った番組案内情報ＴＳパケットストリームを出力する。
図７にデータ受信装置の構成例を記す。データ受信装置は受信部２６０１、チューナ２６０２、番組案内情報制御部２６０３、利用者要求受信部２６０４、ＡＶデコーダ２６０５、画面制御部２６０６から構成される。受信部は図示せぬアンテナから流れてくる各ＴＳのＴＳパケットストリームを受信する。チューナ２６０２は番組案内情報制御部２６０３から指定されたＴＳのＴＳパケットストリームを取得し、ＡＶのＴＳパケットストリームをＡＶデコーダ２６０５へ、番組案内情報ＴＳパケットストリームを番組案内情報制御部２６０３へ出力する。番組案内情報制御部２６０３は、番組案内情報ＴＳパケットストリームをデコードする。番組案内情報制御部は、利用者が図示せぬリモコンで電子番組表の表示を要求すると利用者要求受信部２６０４を通じて電子番組表表示要求を受け取る。電子番組表表示要求を受け取った番組案内情報制御部２６０３は、前記番組案内情報から電子番組表を生成して画面制御部２６０６に出力する。画面制御部２６０６は図示せぬテレビジョン表示装置に電子番組表を表示する。電子番組表の例を図６の２５０５に記す。視聴者は、電子番組表上の視聴したい番組を図示せぬリモコンによって選択する。図示せぬリモコンは視聴者の選択した番組を番組選択要求として利用者要求受信部２６０４に出力する。番組案内情報制御部２６０３は利用者要求受信部２６０４を通して番組選択要求を受け取り、選択された番組の選局先ＴＳ情報をチューナ２６０２へ、選局先映像・音声コンポーネント情報をＡＶデコーダ２６０５へ出力する。選局先ＴＳ情報を受け取ったチューナ２６０２は選局先のＴＳパケットストリームを選択し、ＡＶのＴＳパケットストリームをＡＶデコーダ２６０５へ出力する。ＡＶのＴＳパケットストリーム及び選局先映像・音声コンポーネント情報を受け取ったＡＶでコーダ２６０５は選局先映像・音声コンポーネントをＡＶのＴＳパケットストリームから抽出し、デコードして画面制御部２６０６に出力する。デコードされた映像・音声を受け取った画面制御部２６０６は図示せぬテレビジョン表示装置に映像・音声を出力する。
以上のように放送システムによって生成、送出された映像・音声・番組案内情報をデータ受信装置が受信して視聴者が視聴できる。
しかし、図２に示す通り、番組制作者は放送時間の制約のため、番組制作者が元々製作した完全な番組素材２１０４ではなく、放送時間に合うように番組の所々をカットして製作した素材２１１０しか放送できない。
発明の開示
そこで、本発明では、番組放送時間に合うように製作された本番用素材を放送すると共に、カットされた素材とカットされた素材が本番用素材のどの位置からカットされたかを記す蓄積再生制御テーブルを放送するマルチビュー蓄積放送サービスにより、放送を受信したデータ受信装置が本番用素材とカットされた素材を蓄積し、蓄積再生制御テーブルによって本番用素材とカットされた素材をつなぎ合わせて再生させる。これにより、番組編成によって番組の放送時間を延長することなく、番組製作者は元々製作した完全な番組を放送することができ、さらに視聴者も通常の番組とは別にディレクターズカット版の番組も楽しむことができる。
発明を実施するための最良の形態
以下、本発明の実施の形態について、図面を用いて説明する。
（実施の形態１）
図８はマルチビュー蓄積放送サービスを実現する放送システムの構成例を示す。
７０１は、映像・音声を編集して番組素材及びカットされた素材を作成するためのビデオ編集装置７０４と、カットされた素材のカット情報を記載する蓄積再生制御テーブルを生成する蓄積再生制御テーブル生成装置７０７と、番組編成を行って番組スケジュール及び番組情報を出力する番組編成装置７０３と、前記番組編成装置７０３から受け取った番組スケジュールに従って編集済ビデオとカット素材ビデオを再生するビデオ再生装置７０５と、前記ビデオ再生装置７０５が再生した映像・音声を受け取り、デジタルＡＶストリームに変換して出力するＡＶストリーム生成送出装置７０６と、前記番組編成装置７０３から番組スケジュールと番組情報を受け取り、各種番組案内情報を構成するテーブルを生成し前記蓄積再生制御テーブル生成装置７０７から受け取った蓄積再生制御テーブルをあわせて番組案内情報を出力する番組案内情報生成送出装置７０８と、前記ＡＶストリーム生成送出装置７０６と前記番組案内情報生成送出装置７０８とからそれぞれデジタルＡＶストリームと番組案内情報を受け取り、多重化して送出する多重化装置７０９から構成されているデータ送信装置であり、７０２は、前記伝送路から多重化された映像音声ストリームパケットと番組案内情報ストリームパケットを受信する受信部７１０と、前記受信部７１０から映像音声ストリームパケットと番組案内情報ストリームパケットを受け取り、番組案内情報制御部７１４に対して番組案内情報ストリームを送り蓄積部７１６とＡＶデコーダ７１２に対して映像音声ストリームを出力するチューナ７１１と、チューナ７１１から受信した映像音声ストリームの中から番組案内情報制御部７１４から要求された映像・音声コンポーネントのストリームをデコードして映像・音声を出力し、蓄積部７１６から受信した映像音声ストリームの中から蓄積再生制御部７１５から要求された映像・音声コンポーネントのストリームをデコードして映像・音声を出力するＡＶデコーダ７１２と、図示せぬ外部のリモコンより利用者からの電子番組表表示要求と番組選局要求と蓄積要求と蓄積番組表示要求と蓄積再生要求を受け、電子番組表表示要求と番組選局要求を番組案内情報制御部７１４に出力し、蓄積要求と蓄積番組表示要求と蓄積再生要求を蓄積再生制御部７１５に出力する利用者要求受信部７１３と、電子番組表表示要求を受け取った場合は番組案内情報ストリームをデコードして電子番組表を生成して出力し、番組選局要求を受け取った場合は番組選局要求に記載のチャンネル識別子から現在放送中の番組を割り出して該当番組に対する映像・音声コンポーネント情報を番組案内情報ストリームから取得して該当コンポーネントをデコードするようにＡＶデコーダ７１２に要求し、蓄積要求を受け取った場合は該当蓄積番組の蓄積再生制御テーブルと番組開始時刻と蓄積開始時刻を蓄積部７１６に出力すると共に該当蓄積番組の全コンポーネント情報に対応する映像コンポーネント、音声コンポーネントを蓄積部７１６に出力するようチューナ７１１に要求する番組案内情報制御部７１４と、蓄積番組表示要求を受け取った場合、蓄積部７１６に蓄積されている全蓄積番組を表示するための蓄積番組表を生成して画面制御部７１７に出力し、蓄積再生要求を受け取った場合、蓄積部７１６に蓄積されている該当蓄積番組のコンポーネントを蓄積再生制御テーブルにしたがってＡＶデコーダ７１２に出力する蓄積再生制御部７１６と、該当蓄積番組の蓄積再生制御テーブルと番組開始時刻と蓄積開始時刻と該当蓄積番組の全コンポーネント情報に対応する映像コンポーネント、音声コンポーネントを蓄積して管理し、蓄積再生制御部７１５の要求に応じて蓄積した情報を出力する蓄積部７１６と、前記ＡＶデコーダ７１２及び番組案内情報制御部７１４が出力した映像・音声と電子番組表を図示せぬ画面に表示させる画面制御部７１７から構成されるデータ受信装置である。
以上のように構成されたマルチビュー蓄積放送システムにおいて、番組を放送する動作を以下に説明する。
図９はマルチビュー蓄積放送システムのデータ送信装置７０１を切り出した構成例である。但し、図８と同一の構成となるものについては、図８と同一符号を付す。
データ送信装置７０１において、１０１は番組を作成するために撮影された複数のビデオ素材、７０４は前記ビデオ素材１０１を編集して番組素材及びカットされた素材を作成するためのビデオ編集装置、７０７はカットされた素材のカット情報を記載する蓄積再生制御テーブルを生成する蓄積再生制御テーブル生成装置、１０４は前記ビデオ編集装置７０４にて前記ビデオ素材１０１を編集して作った番組素材となる番組素材ビデオ、１０５は前記編集済みの番組素材ビデオ１０４を製作する際にカットされた素材を集めたカット素材ビデオ、７０３は番組編成を行い、番組スケジュール及び番組情報を出力する番組編成装置、７０５は前記番組ビデオ１０４及びカット素材ビデオ１０５を受け取り、前記番組編成装置７０３から受け取った番組スケジュールに従って番組素材ビデオとカット素材ビデオを再生するビデオ再生装置、７０６は前記ビデオ再生装置７０５が再生した映像・音声を受け取り、デジタルＡＶストリームに変換して出力するＡＶストリーム生成送出装置、７０８は前記番組編成装置７０３から番組スケジュールと番組情報を受け取り、各種番組案内情報を構成するテーブルを生成し前記蓄積再生制御テーブル生成装置７０７から受け取った蓄積再生制御テーブルをあわせて番組案内情報として出力する番組案内情報生成送出装置、７０９は前記ＡＶストリーム生成送出装置７０６と前記番組案内情報生成送出装置７０８からそれぞれデジタルＡＶストリームと番組案内情報を受け取り、多重化して送出する多重化装置である。
ビデオ編集装置７０４は複数のビデオ素材１０１を受け取り、その複数のビデオ素材をディレクターが編集して番組素材ビデオ１０４を生成する。ビデオ編集装置７０４における番組素材ビデオ編集例は従来例と同様である。
また、ビデオ編集装置７０４ではカット素材を生成する。カット素材の生成方法を図１０を用いて説明する。
ビデオ編集装置７０４では、完全な素材８０１から素材をカットする場合、素材の先頭時刻を”時刻カウンタ＝００：００：００”とし、カットする素材の開始時刻カウンタと終了時刻カウンタを記録する。例えば、完全な素材８０１から素材８０２をカットする場合、その開始カウンタ”００：０１：２１”８０３と終了カウンタ”００：０３：００”８０４を蓄積再生制御テーブル生成装置７０７に出力する。残りのカット素材８０５〜８０７に対しても同様な手順を行って本番用素材８０９とカット素材８１０を生成する。また、ビデオ編集装置７０４は番組編成装置７０３から各番組の番組識別子と番組が放送されるチャンネルのチャンネル識別子とチャンネルを構成する映像・音声コンポーネント情報と蓄積再生制御識別子を受け取る。ビデオ編集装置７０４は生成した本番用素材８０９とカット素材８１０を前記番組識別子とチャンネル識別子を付与してビデオ再生装置７０５に出力する。例えば、ビデオ編集装置７０４は、本番用素材８０９には”チャンネル識別子＝１”、”番組識別子＝５００”、カット素材８１０には”チャンネル識別子＝マルチビュー１”、”番組識別子＝５００”を付与して出力する。さらにビデオ編集装置７０４は前記蓄積再生制御識別子と本番用素材８０９が放送されるチャンネルに対応する映像・音声コンポーネント情報とカット素材８１０が放送されるチャンネルに対応する映像・音声コンポーネント情報と前記記録した全ての開始カウンタと終了カウンタを蓄積再生制御テーブル生成装置７０７に出力する。例えば、ビデオ編集装置７０４は、”蓄積再生制御識別子＝１”、”本番用素材８０９の映像コンポーネント＝映像１”、”本番用素材８０９の音声コンポーネント＝音声１”、”カット素材８１０の映像コンポーネント＝映像２”、”カット素材８１０の音声コンポーネント＝音声２”、”開始カウンタ＝００：０１：２１・終了カウンタ＝００：０３：００”、”開始カウンタ＝・・・”という情報を蓄積再生制御テーブル生成装置７０７に出力する。
蓄積再生制御テーブル生成装置７０７は、蓄積再生制御テーブルを生成する。蓄積再生制御テーブルの構成例を図１１に記す。蓄積再生制御テーブルはテーブル種別２０１、蓄積再生制御識別子２０２、番組開始時刻２０３、切替時刻カウンタ数２０４、カウンタ情報２０５、２０６、…のループで構成されている。テーブル種別２０１には本テーブルが蓄積再生制御テーブルであることを記す識別子を載せる。蓄積再生制御識別子２０２には前記ビデオ編集装置７０４から受信した該当蓄積再生制御識別子を載せる。番組開始時刻２０３は蓄積再生制御テーブル生成装置７０７では未設定とする。切替時刻カウンタ数２０４には以下のカウンタ情報の数を載せる。カウンタ情報２０５、２０６、…には切替時刻カウンタ、映像コンポーネント情報、音声コンポーネント情報を載せる。１番目のカウンタ情報２０５は、切替時刻カウンタを”００：００：００”とし、最初に利用される素材の映像・音声コンポーネントを載せる。前記ビデオ編集装置７０４から受け取った開始カウンタに”００：００：００”のエントリがあった場合この映像・音声コンポーネントにはカット素材８１０の映像・音声コンポーネント情報を記載する。以降のカウンタ情報には切替時刻カウンタに開始カウンタ、終了カウンタを載せ、開始カウンタの場合はカット素材８１０の映像・音声コンポーネント情報を、終了カウンタの場合は本番用素材８０９の映像・音声コンポーネント情報を載せて、蓄積再生制御テーブルを完成させる。
蓄積再生制御テーブル生成装置７０７における蓄積再生制御テーブルの生成方法を図１２及び図１３を用いて説明する。
蓄積再生制御テーブル生成装置７０７は、ビデオ編集装置７０４から蓄積再生制御識別子と、本番用素材に対応する映像・音声コンポーネント情報と、カット素材に対応する映像・音声コンポーネント情報と、全ての開始カウンタと終了カウンタを受取る（ステップ１３０１）。
そして、蓄積再生制御テーブル生成装置７０７は、蓄積再生制御識別子にステップ１３０１で受け取った値を設定し、番組開始時刻と切替え時刻カウンタ数を未設定にして蓄積再生制御テーブルを生成する（ステップ１３０２）。
次に、蓄積再生制御テーブル生成装置７０７は、ステップ１３０１で取得した開始カウンタ、終了カウンタからカウンタ値の小さい順に１つづつ取得する（ステップ１３０３）。
蓄積再生制御テーブル生成装置７０７は、ステップ１３０３で取得したカウンタが開始カウンタか終了カウンタかによって生成するカウンタ情報を変える（ステップ１３０４）。
ステップ１３０４のカウンタが開始カウンタであった場合、蓄積再生制御テーブル生成装置７０７は、切替時刻カウンタに開始カウンタ、映像・音声コンポーネント情報にカット素材の映像・音声コンポーネント情報を載せ、あわせてカウンタ情報を生成する（ステップ１３０５）。
ステップ１３０４のカウンタが終了カウンタであった場合、蓄積再生制御テーブル生成装置７０７は、切替時刻カウンタに開始カウンタ、映像・音声コンポーネント情報に本番素材の映像・音声コンポーネント情報を載せ、あわせてカウンタ情報を生成する（ステップ１３０６）。
蓄積再生制御テーブル生成装置７０７は、ステップ１３０５、１３０６で生成したカウンタ情報を蓄積再生制御テーブルのカウンタ情報の一番下に追加し、切替時刻カウンタ数を１加算し、ステップ１３０３へ戻る（ステップ１３０７）。  ステップ１３０３〜１３０７で全てのカウンタを処理してしまった場合、蓄積再生制御テーブル生成装置７０７は、生成した蓄積再生制御テーブルの中に、「切替時刻カウンタ＝００：００：００」となる一番最初のカウンタ情報が存在するかを確認する（ステップ１３０８）。
ステップ１３０８で「切替時刻カウンタ＝００：００：００」となるカウンタ情報が存在しなかった場合、蓄積再生制御テーブル生成装置７０７は、「切替時刻カウンタ＝００：００：００」、映像・音声コンポーネント情報に本番素材の映像・音声コンポーネント情報を載せ、あわせてカウンタ情報を生成する（ステップ１３０９）。
そして、蓄積再生制御テーブル生成装置７０７は、ステップ１３０９で生成したカウンタ情報を蓄積再生制御テーブルのカウンタ情報の一番上に追加し、切替時刻カウンタ数を１加算し、蓄積再生制御テーブルを完成させる（ステップ１３１０）。
ステップ１３０８で「切替時刻カウンタ＝００：００：００」となるカウンタ情報が存在する場合、またはステップ１３１０で「切替時刻カウンタ＝００：００：００」となるカウンタ情報を追加した場合、蓄積再生制御テーブル生成装置７０７は、蓄積再生制御テーブルの生成を終了し、生成した蓄積再生制御テーブルを番組案内情報生成送出装置７０８に出力する。
番組編成装置７０３では、編成者が例えば１週間分の番組のスケジュールを組み、スケジューリングされた各番組の番組情報と共に登録を行う。番組スケジュールの構成例を図１４に示す。番組スケジュールはチャンネル識別子、チャンネルに対応する映像コンポーネント、音声コンポーネント、各番組の開始時刻及び番組識別子で構成されている。例えば、図１４の番組スケジュールには”チャンネル識別子＝１、マルチビューチャンネル１”が登録されており１００１、チャンネル識別子＝１の映像コンポーネントは映像１、音声コンポーネントは音声１となっている。また、各チャンネルには開始時刻と番組識別子がループ上に登録されている１００４。１００５は、チャンネル識別子＝１とマルチビュー１において開始時刻＝２０００／１１／１  １８：００から番組識別子＝５００の番組が放送されるように登録されている。
番組情報の例を図１５に記す。番組情報は、番組ごとに例えば番組識別子、番組の継続時間、番組名、出演者、番組内容、蓄積再生制御識別子、蓄積再生内容、蓄積再生継続時間が登録されている。蓄積再生内容と蓄積再生継続時間は蓄積再生制御識別子に有効な値が入っている場合に意味をなす情報で、それぞれ蓄積再生番組の内容情報と蓄積再生番組の継続時間を記述する項目である。例えば、番組識別子”５００”の番組は継続時間が”３時間”、番組名が”ドラマ「青い海」”、出演者”松下美子”、番組内容”人生をかけた戦いを描く”、蓄積再生制御識別子が有効値”１”、蓄積再生内容が”完全版”、蓄積再生継続時間が”３時間３０分”と登録されている。各番組は番組識別子によって番組スケジュールと番組情報で対応付けがとれている。
番組スケジュールと番組情報の編成を行った番組編成装置７０３は番組スケジュールと番組情報をビデオ再生装置７０５及び番組案内情報生成送出装置７０８へ出力すると同時に番組情報をビデオ編集装置７０４に出力する。
チャンネル識別子と番組識別子が付与された本番用素材１０４とカット素材１０５及び番組スケジュールを受け取ったビデオ再生装置７０５は番組スケジュールに従って各素材１０４、１０５を再生し、再生信号を映像・音声コンポーネント情報と共にＡＶストリーム生成送出装置７０６に出力する。例えば、番組識別子「５００」の本番用素材１０４とカット素材１０５は、”２０００／１１／１  １８：００”にそれぞれ再生が開始される。
ＡＶストリーム生成送出装置７０６は前記ビデオ再生装置７０５からビデオの再生信号を受け取り、映像・音声をそれぞれに割り当てられた映像・音声コンポーネント情報と共にＴＳパケットストリームに変換して送出する。
番組案内情報生成送出装置７０８は前記番組編成装置７０３から番組スケジュールと番組情報を受け取り番組案内情報を生成し、前記蓄積再生制御テーブル生成装置７０７から受け取った蓄積再生制御テーブルと共に番組案内情報をＴＳパケットストリーム化の後に多重化装置７０９に出力する。その時、番組案内情報生成送出装置７０８は蓄積再生制御テーブルの番組開始時刻の項目を番組スケジュール通りの情報で補完する。図１６に番組開始時刻が補完された蓄積再生制御テーブルを記す。番組案内情報生成送出装置７０８は蓄積再生制御テーブルの「蓄積再生制御識別子＝１」４０１に該当する番組を前記図１５の番組情報から検索し、該当番組が「番組識別子＝５００」１１０２であることが分かる。さらに「番組識別子＝５００」の番組が「２０００／１１／１  １８：００」から放送されることが前記図１４の番組スケジュールから判明する。これにより４０２の番組開始時刻は、「２０００／１１／１  １８：００」と設定できる。
また、番組案内情報生成送出装置７０８の生成する番組案内情報にはチャンネルに対する情報を記すチャンネル情報テーブル、チャンネル毎の番組スケジュール及び各番組の情報を記す番組スケジュール情報テーブル、チャンネル毎の現在及び次に放送する番組のみの情報を記す現在／次番組情報テーブルが含まれる。
ここではそのうち、番組スケジュール情報テーブルの例を図１７に記す。番組スケジュール情報テーブルはテーブル識別子３０１、チャンネル識別子３０２、バージョン３０３、番組数３０４、番組情報３０５で構成されている。テーブル種別３０１には本テーブルが番組スケジュール情報テーブルであることを示す識別子を記述する。チャンネル識別子３０２には該当チャンネルを記す識別子を記述する。バージョン３０３は該番組情報テーブルのバージョン番号を記す。該バージョン番号はバージョン３０３以降の項目の内容に変更があった場合に加算され、番組スケジュール情報テーブルを受信したデータ受信装置は該バージョン番号の変化により該番組スケジュール情報テーブルの変更を検出することができる。番組数３０４は該番組情報テーブルに記載の番組の数が載っており、該当番組数の数分、個別番組情報３０５がループして記述される。個別番組情報３０５には番組名などの番組内容情報のほかに、コンポーネント情報３０６が記載されている。コンポーネント情報３０６には該当番組の種別・映像、音声に関するコンポーネント情報が記載される他に、該当番組をマルチビュー蓄積放送サービス対象の番組とした場合、メインコンポーネント情報３０６のほかに蓄積再生番組用のコンポーネント情報３０７を付与する。蓄積再生番組用のコンポーネント情報３０７では、例えば”種別＝蓄積再生”とし、映像・音声コンポーネント情報に図１４の番組スケジュール記載のマルチビュー１の映像・音声コンポーネント情報を設定し、蓄積再生制御識別子３０９、蓄積再生継続時間３１０には図１５に示した前記番組情報１１０２に記載の蓄積再生制御識別子、蓄積再生継続時間をそれぞれ設定する。このように、映像、音声に関するコンポーネント情報は、映像、音声のトランスポートストリームパケットを識別するための情報であり、データ受信装置は、このコンポーネント情報により、番組を構成する映像、音声のトランスポートストリームパケットを一意に識別できる。
ＡＶストリーム生成送出装置７０６、番組案内情報生成送出装置７０８からそれぞれ映像・音声のＴＳパケットストリームと番組案内情報ＴＳパケットストリームを受け取った多重化装置７０９はそれらを多重化後、出力する。
多重化装置７０９の出力イメージを図１８に記す。多重化装置７０９はＡＶストリーム生成送出装置７０６から受け取ったメイン映像となる映像１ＴＳパケットストリーム５０１、メイン音声となる音声１ＴＳパケットストリーム５０３、蓄積用映像となる映像２ＴＳパケットストリーム５０２、蓄積用音声となる音声２ＴＳパケットストリーム５０４と、番組案内情報生成送出装置１０９から受け取った番組案内情報ＴＳパケットストリーム５０５を出力する。ここで番組案内情報ＴＳパケットストリーム５０５には番組情報テーブル５０６、蓄積再生制御テーブル５０７のほかに現在時刻を示す時間情報テーブル５０８も送出されている。時間情報テーブル５０８を受信したデータ受信装置は現在時刻がその時間情報テーブルに記載されている時間であると認識する。
図１９は、マルチビュー蓄積放送システムのデータ受信装置７０２を切り出した構成例である。データ受信装置７０２は制御部７１０、チューナ７１１、番組案内情報制御部７１４、利用者要求制御部７１３、ＡＶデコーダ７１２、画面制御部７１７、蓄積部７１６、蓄積再生制御部７１５から構成される。蓄積を用いない通常の番組視聴の動作は従来例どおりである。
ここでは、蓄積及び再生処理を行う場合の動作を記す。
図２０を用いて蓄積処理の処理フローを説明する。
まず利用者要求制御部７１３は利用者から図示せぬリモコンを用いて送信された電子番組表表示要求を受ける（ステップ１４０１）。
電子番組表表示要求を受けた利用者要求制御部７１３は、番組案内情報制御部７１４に番組案内情報表示要求を出す（ステップ１４０２）。
番組案内情報表示要求を受け取った番組案内情報制御部７１４はチューナ７１１から取得した番組案内情報ストリームをデコードして電子番組表を生成して画面制御部７１７に出力する（ステップ１４０３）。
画面制御部７１７はデコードされた電子番組表を図示せぬ画面に表示する（ステップ１４０４）。
図１７で前述した番組識別子５００の蓄積番組用の番組を電子番組表にしたときの例を図１８の５０９に記す。この例ではチャンネル識別子＝１のチャンネルで放送されている番組「ドラマ：青い海」５１０が蓄積再生番組としても放送されており、ノーマル版５１０よりも３０分拡大した時間になっていることが分かる。
利用者が図示せぬリモコンで電子番組表上の蓄積再生番組５１１の蓄積を要求すると番組案内情報制御部７１４が利用者要求制御部７１３を通じて蓄積要求を受け取る（ステップ１４０５）。
蓄積要求を受け取った番組案内情報制御部７１４は、蓄積開始時刻としての番組開始時刻、番組情報テーブルから抜き出した該当番組の番組情報、該当蓄積再生制御識別子を持つ蓄積再生制御テーブルを蓄積部７１６に出力する。ここで、該当番組がすでに放送中の場合、蓄積開始時刻として、時間情報テーブルから取得した現在時刻を用いる（ステップ１４０６）。
次に、番組案内情報制御部７１４は、蓄積要求対象の番組開始時刻になる瞬間に蓄積要求対象の番組識別子に該当する映像・音声コンポーネントを全て蓄積部７１６に出力することを要求するＡＶ蓄積要求をチューナ７１１に出す（ステップ１４０７）。番組案内情報制御部７１４は、該当番組が放送終了されると、ＡＶ蓄積終了要求をチューナ７１１に出力し、チューナ７１１は蓄積部７１６への全コンポーネント出力を止め、蓄積処理が終了する（ステップ１４０８）。
図２１に蓄積再生番組を蓄積した時に蓄積部７１６が管理する情報のセットを記す。蓄積部７１６はチューナ７１１から受け取る映像・音声の全コンポーネント６０１〜６０４と番組案内情報制御部７１４から受け取る蓄積再生制御テーブル６０５、蓄積開始時刻６０６、番組情報６０７を蓄積し、ひとまとまりで管理する。
以上のように蓄積した番組を、利用者の再生開始要求を受けて再生開始されるまでの動作を図２２の蓄積再生開始処理フローを用いて説明する。
蓄積した番組を再生する場合、蓄積再生制御部７１５は、利用者によって図示せぬリモコンから送信された蓄積番組表示要求を、利用者要求制御部７１３を通して受ける（ステップ１５０１）。
蓄積番組表示要求を受信した蓄積再生制御部７１５は、蓄積部７１６が蓄積管理する全ての蓄積番組に対する番組情報６０７を用いて蓄積番組表を生成し、画面制御部７１７に出力する（ステップ１５０２）。
画面制御部７１７が図示せぬ画面に蓄積番組表を表示すると、利用者は蓄積番組表を見て、蓄積再生対象の番組を選択し、図示せぬリモコンから蓄積再生要求を出す（ステップ１５０３）。
蓄積再生要求は利用者要求制御部７１３を通して蓄積再生制御部７１５に出力される（ステップ１５０４）。蓄積再生要求を受信した蓄積再生制御部７１５は蓄積部７１６から要求対象の蓄積再生番組の蓄積再生制御テーブル、蓄積開始時刻、番組情報、全コンポーネントを取得し、蓄積再生を開始する（ステップ１５０５）。
次に、図２３〜図２５の蓄積番組再生処理フローを用いて蓄積再生制御部７１５が蓄積番組を再生する処理を説明する。
蓄積再生制御部７１５は、蓄積部７１６から取得した全コンポーネントに対して各コンポーネントの先頭にポインタを付与する（ステップ１６０１）。
次に各コンポーネントに付与したポインタのカウンタ値を計算する。カウンタ値の計算は「蓄積開始時刻−番組開始時刻」で行う（ステップ１６０２）。
また、再生カウンタを設け、その値を００：００：００と設定する（ステップ１６０３）。
蓄積再生制御部７１５は、蓄積再生制御テーブルから切替時刻カウンタ＝００：００：００となっている先頭カウンタ情報を取得し、再生用カウンタ情報とする（ステップ１６０４）。
そして、蓄積再生制御部７１５は、蓄積再生制御テーブルから再生用カウンタ情報の次のカウンタ情報が取得できるかを確認する（ステップ１６０５）。
ステップ１６０５で、次カウンタ情報が取得できた場合、蓄積再生制御部７１５は、再生用カウンタ情報記載のコンポーネントに対応するコンポーネントを取得し、ステップ１６０２で算出したポインタカウンタの値が０以上の値か負の値かをチェックする（ステップ１６０６）。
ステップ１６０６で、ポインタカウンタの値が０以上であった場合、蓄積再生制御部７１５は、再生カウンタ値をカウントアップしながら再生用カウンタ情報記載の各コンポーネントのポインタ位置から、コンポーネントをＡＶデコーダ７１２に出力しつつ、ポインタ位置をＡＶデコーダ７１２に出力したところまでずらしていく（ステップ１６０７）。
また、ステップ１６０６で、ポインタカウンタの値がマイナスであった場合、蓄積再生制御部７１５は、再生カウンタ値と再生用カウンタ情報記載の各コンポーネントのポインタカウンタ値をカウントアップする（ステップ１６０８）。
蓄積再生制御部７１５は、ステップ１６０７、ステップ１６０８で再生カウンタをカウントアップした際に、再生カウンタの値が次カウンタ情報記載の切替カウンタの値に達したか否かをチェックし、達していない場合はステップ１６０６〜ステップ１６０８までの処理を繰り返す。（ステップ１６０８）。
また、ステップ１６０８で再生カウンタの値が次カウンタ情報記載の切替カウンタの値に達した場合、蓄積再生制御部７１５は、次カウンタ情報を再生用カウンタ情報に置き換え、ステップ１６０５に戻る（ステップ１６１０）。
ステップ１６０５において、再生用カウンタ情報が蓄積再生制御テーブル中の最後のカウンタ情報のため、次カウンタ情報が取得できなかった場合、蓄積再生制御部７１５は、再生カウンタ値をカウントアップしながら再生用カウンタ情報記載の各コンポーネントのポインタ位置からコンポーネントを最後までデコーダに出力し、蓄積再生処理を終了する（ステップ１６１１）。
以上のような蓄積再生処理フローを用いた蓄積再生の例を図２１の蓄積再生番組を蓄積した時の蓄積部７１６が管理する情報のセットと、図２６の蓄積番組の再生例を用いて説明する。なお、説明の省略のため、映像ストリームの再生のみを例にとって説明する。
蓄積再生制御部７１５はまず各映像ストリームの先頭にポインタを貼り、各ポインタのカウンタ値を計算する。各映像用ポインタのカウンタ値は「蓄積開始時刻（６０６）−番組開始時刻（６０８）」にて求める。番組開始時刻丁度に蓄積を開始した場合、映像１用ポインタのカウンタ、映像２用ポインタのカウンタは共に「００：００：００」と設定できる。各先頭ポインタのカウンタが「００：００：００」のため、各映像は番組の先頭からきちんと蓄積されていることが分かる（ステップ９０１、ステップ９０２）。次に、再生を開始するストリームを特定するために再生カウンタの値を設定する。再生カウンタ＝「００：００：００」とする。再生カウンタは「００：００：００」なので、蓄積再生制御テーブル６０５のカウンタ情報６０９によりカウンタ値が「００：００：００」では映像コンポーネント＝映像１であることが分かる。またステップ９０１、９０２により各映像１は先頭からきちんと蓄積されていることが分かつているため映像１の先頭ポインタから再生すべきだということがわかる（ステップ９０３）。そのため、蓄積再生制御部７１５は映像コンポーネント＝映像１の映像ストリームを映像１のカウンタ位置からＡＶデコーダ７１２に出力することにより映像１を再生する。このとき、時間経過と共に再生カウンタを「００：００：００」から上げていく（ステップ９０４）。再生カウンタが蓄積再生制御テーブル上、次の切替時刻カウンタ６１０と同値になったとき、映像１のストリーム出力を停止して、停止位置に映像１用ポインタを付与する（ステップ９０５）。また、映像１のストリーム出力を停止すると同時に切替時刻カウンタ６１０に再生すべき映像２の映像ストリームを映像２用ポインタ位置からＡＶデコーダ７１２に出力することにより映像２を再生する。このとき、時間経過と共に再生カウンタを「００：０１：２１」から上げていく（ステップ９０６）。同様に、再生カウンタが次の切替時刻カウンタ「００：０３：００」と同値になったとき、映像２のストリーム出力を停止して、停止位置に映像２用ポインタを付与する（ステップ９０７）以降、ステップ９０４〜９０７を、映像１、映像２のストリーム再生を終了するまで繰り返す。このように、映像１の映像ストリームと映像２の映像ストリームを切り替えながら再生することにより、映像１の映像ストリームと映像２の映像ストリームとをつなぎ合わせた再生を行うことができる。
なお、蓄積再生番組の蓄積を番組の途中からはじめた場合、ステップ９０１、９０２において、映像１用カウンタ、映像２用カウンタは「００：００：００」とはならない。例えば、番組開始時刻から３分間遅れて蓄積を開始した場合、映像１用ポインタのカウンタ、映像２用ポインタのカウンタは共に「−００：０３：００」とマイナスカウントとなる。この場合、ステップ９０３以降で蓄積再生制御テーブルに従って映像１、映像２を再生する場合、再生カウンタをカウントアップすると同時に、映像１用カウンタ、映像２用カウンタもそれぞれカウントアップしていき、各カウンタが「００：００：００」になった時点で始めて蓄積再生制御部７１５が該当映像コンポーネントをＡＶデコーダ７１２に出力する。これにより、蓄積再生番組を途中から蓄積した場合でも、蓄積再生番組を再生することが可能となる。
なお、データ受信装置７０２は、前記蓄積番組を蓄積する際に、蓄積再生制御テーブルや複数の映像・音声コンポーネントを蓄積すると共に、前記ステップ９０１〜９０７に記した蓄積再生方法を用いて複数の映像・音声コンポーネントをそれぞれ１つづつの映像・音声コンポーネントに結合して蓄積することにより、蓄積再生時の処理負荷を軽減できる。
（実施の形態２）
なお、上述の実施の形態１においては、１つの番組について、ノーマル版及び完全版の内容を用意する場合について述べたが、これに限らず、カットされた素材の組み合わせによって、複数の内容を用意することもできる。
例えば、図１０に示すように、カットされた素材８０２、８０５、８０６及び８０７のうち、これらすべてをカット素材８１０として用意することに加えて、例えば、カットされた素材８０５を除く他のカットされた素材８０２、８０６及び８０７をカット素材として用意することができる。この場合、カットされたすべての素材８０２、８０５、８０６及び８０７からなるカット素材８１０のチャンネル識別子を例えば”マルチビュー１”とすると、図２７に示すように、素材８０５を除く素材８０２、８０６及び８０７からなるカット素材のチャンネル識別子を”マルチビュー２”のように区別する。
これにより、カットされた素材の組み合わせにより、複数種類の内容を提供することができる。
カット素材８１１のように、カットされた素材８０２、８０５、８０６及び８０７のうち、特定の素材（例えばバイオレンスシーン等の映像及び音声が含まれる素材）８０５を除く素材８０２、８０６及び８０７からなるカット素材８１１の蓄積再生制御テーブルの例を図２８に示す。
図２８に示すように、カット素材８１１を本番用素材８０９に挿入して再生するための蓄積再生制御テーブルでは、当該再生を他の蓄積再生制御と区別するために、異なる蓄積再生制御識別子２を割り当てている。
そして、切替時刻カウンタに対応して再生される映像コンポーネント及び音声コンポーネントとして、カット素材８１１に対応する”映像３”及び”音声３”が割り当てられる。
番組編成装置７０３によって編成された番組情報を図２９に示す。図２８において、番組識別子”５００”に対応して、２つの蓄積再生制御識別子によって２つの蓄積内容が用意されていることが分かる。
また、番組案内情報生成送出７０８の生成する番組案内情報のうち、番組スケジュール情報テーブルの例を図３０に示す。図３０において、異なる蓄積再生制御識別子によって区別されている２つの蓄積再生内容が番組情報テーブルに記載される。
利用者が図示せぬリモートコントローラによって電子番組表上の蓄積再生番組の蓄積を要求すると、番組案内情報制御部７１４が利用者要求制御部７１３を通じて蓄積要求を受け取る。蓄積要求を受け取った番組案内情報制御部７１４は、蓄積開始時刻としての番組開始時刻、番組情報テーブルから抜き出した該当番組の番組情報、該当蓄積再生制御識別子を持つ蓄積再生制御テーブルを蓄積部７１６に出力する。ここで、該当番組がすでに放送中の場合、蓄積開始時刻として、時間情報テーブルから取得した現在時刻を用いる。
次に、番組案内情報制御部７１４は、蓄積要求対象の番組開始時刻になる瞬間に蓄積要求対象の番組識別子に該当する映像・音声コンポーネントを全て蓄積部７１６に出力することを要求するＡＶ蓄積要求をチューナ７１１に出す。番組案内情報制御部７１４は、該当番組が放送終了されると、ＡＶ蓄積終了要求をチューナ７１１に出力し、チューナ７１１は蓄積部７１６への全コンポーネント出力を止め、蓄積処理が終了する。これにより、蓄積要求対象の番組識別子に該当する複数の蓄積再生用のカット素材が蓄積部７１６に蓄積される。
蓄積した番組を再生する場合、蓄積再生制御部７１５は、利用者によって図示せぬリモートコントローラから送信された蓄積番組表示要求を、利用者要求制御部７１３を通して受ける。蓄積番組表示要求を受信した蓄積再生制御部７１５は、蓄積部７１６が蓄積管理する全ての蓄積番組に対する番組情報６０７を用いて蓄積番組表を生成し、画面制御部７１７に出力する。
画面制御部７１７が図示せぬ画面に蓄積番組表を表示すると、利用者は蓄積番組表を見て、蓄積再生対象の番組を選択し、図示せぬリモコンから蓄積再生要求を出す。このとき、例えば、完全版及びバイオレンスシーンカット版のように、複数の蓄積再生内容が用意されている場合には、蓄積番組表にそれぞれが選択可能に表示される。従って、利用者は、当該蓄積番組表に基づいて、所望の蓄積再生内容を指定することができる。
蓄積再生要求は利用者要求制御部７１３を通して蓄積再生制御部７１５に出力される。蓄積再生要求を受信した蓄積再生制御部７１５は蓄積部７１６から要求対象の蓄積再生番組の蓄積再生制御テーブル、蓄積開始時刻、番組情報、全コンポーネントを取得し、蓄積再生を開始する。
なお、上述の実施形態においては、複数のカット素材８１０、８１１を蓄積部７１６に蓄積し、要求された蓄積再生内容に応じたカット素材を蓄積再生制御テーブルに従って再生する場合について述べたが、本発明はこれに限らず、蓄積部７１６にはカットされたすべての素材を含むカット素材８１０を蓄積しておき、当該蓄積されたカット素材８１０から必要な部分を再生するようにしてもよい。この場合、カット素材８１０に予め時間情報を付加しておき、蓄積再生制御部７１５は、蓄積再生制御テーブル及びカット素材８１０の時間情報に基づいて必要な素材を選択しながら再生する。これにより、蓄積再生制御テーブルによって複数の蓄積内容を設定しておくだけで、１つのカット素材８１０から、そのカット素材８１０に含まれる複数の素材の組み合わせによって複数内容の蓄積再生を行うことができる。
（実施の形態３）
図３１は、本発明に係る放送システムの実施の形態３を示すブロック図である。図３１に示す放送システムは、図８について上述した放送システムに対して、課金処理部７５０を設け、データ送信装置７５１からデータ受信装置７５２に提供される番組のうち、カット素材の再生に対して課金処理を行うものである。
すなわち、データ受信装置７５２では、カードリーダ７５６において、利用者が所持する個人認証用のＩＤ（Ｉｄｅｎｔｉｆｉｃａｔｉｏｎ）カード７５７から利用者ごとに固有のＩＤ番号を読み取り、利用者要求受信部７１３に供給する。利用者要求受信部７１３は、図示しないリモートコマンダから番組（カット素材）の購入要求を受け取ると、このときカードリーダ７５６から供給されている利用者のＩＤ番号と、購入要求信号とを合わせて通信部７５３から電話回線等のネットワークを介して課金処理部７５０に送信する。
課金処理部７５０は、通信部７５４を介してＩＤ番号及び購入要求を受け取ると、当該ＩＤ番号に対応付けられた利用者に対する課金処理を行った後、当該ＩＤ番号と、これに対応付けされた鍵情報であって購入要求のあったカット素材のスクランブルを解くための鍵情報とを、データ送信装置７５１の多重化装置７０９を介して送信する。
この鍵情報を受信したデータ受信装置７５２は、当該鍵情報をデスクランブラ７５５に供給する。デスクランブラ７５５は、鍵情報に対応付けされたＩＤ番号と、カードリーダ７５６から供給されるＩＤ番号とを比較することにより、このときデータ受信装置７５２を使用している利用者が、課金処理対象の利用者であるか否かを判断する。
鍵情報に対応付けられたＩＤ番号と、カードリーダ７５６から供給されるＩＤ番号とが一致する場合には、デスクランブラ７５５は、チューナを介して得られたカット素材を含むチャンネルの受信データ、又は蓄積部７１６に蓄積されているカット素材に対して、デスクランブル処理を実行する。因みに、データ送信装置７５１では、ＡＶストリーム生成送出装置７５８において送信データに対してスクランブル処理が施されるようになされている。
かくして、蓄積再生制御部７１５の制御によって蓄積部７１６から読み出されたカット素材は、デスクランブル処理された後、ＡＶデコーダ７１２においてデコードされ、画面制御部７１７を介して図示しないテレビジョン表示装置に供給される。但し、蓄積再生制御部７１５の動作は、図８について上述したデータ受信装置７０２と同様である。
このように、図３１に示す放送システムでは、蓄積部７１６に蓄積されたカット素材を再生して、例えば完全版の番組内容を利用者に提供する場合、課金処理部７５０によって課金処理が行われることにより、所定の対価と引き換えに、利用者に対して完全版を提供する。これにより、カット素材に対してプレミア性を持たせることができる。
図３２は、データ受信装置７５２における番組（カット素材）の購入処理手順を示すフロー図である。図３２において、データ受信装置７５１はリモートコマンダ（利用者）からの購入要求を待ち受け（ステップＳＴ１７０１）、購入要求があるとステップＳＴ１７０２において肯定結果を得ることにより、カードリーダ７５６から供給されるＩＤ番号及び購入要求を課金処理部７５０に対して送信する（ステップＳＴ１７０３）。
その後、課金処理部７５０において課金処理が行われ、購入要求対象であるカット素材のデータのスクランブルを解くための鍵情報を受信部７１０を介して受け取ると（ステップＳＴ１７０４）、データ受信装置７５２は、当該受け取った鍵情報を用いて受信データ又は蓄積データのスクランブルをデスクランブラ７５５によって解く（ステップＳＴ１７０５）。
スクランブルが解かれた受信データ又は蓄積データは、ＡＶデコーダ７１２によってデコード処理され（ステップＳＴ１７０６）、画面制御部７１７を介してテレビジョン表示装置に表示される（ステップＳＴ１７０７）。
なお、図３１に示した放送システムにおいては、カット素材を多重化装置７０９を介して放送波に多重化して放送しているが、電話回線等のネットワークを介してデータ受信装置７５２に送信するようにもできる。
すなわち、図３１において、データ送信装置７５１のビデオ編集装置７０４において編集された結果であるカット素材は、データ受信装置７５２から購入要求を受け取った送受信部７６１によって、通信部７５４から電話回線等のネットワークを介してデータ受信装置７６２に送信される。カット素材を受け取ったデータ受信装置７５２は、当該カット素材を通信送受信部７６３を介して蓄積部７１６に入力し、これを蓄積する。
このように、電話回線等のネットワークを介してカット素材をデータ送信装置７６１からデータ受信装置７６２に対して送信することにより、多重化して放送する際のカット素材によるチャンネルの使用を回避して、チャンネルの利用効率を向上させることができる。
なお、上述した各実施の形態の各装置及び各部は、それぞれの処理を実行するための記録媒体上のプログラムとすることも可能であり、当該プログラムを情報処理装置に実行させることにより、上述の各実施の形態と同様の処理を実現することができる。
また、上述した各実施の形態においては、データ送信装置７０１、７５１から放送によって番組をデータ受信装置７０２、７５２に配信する場合について述べたが、これに限らず、ネットワークを介して行われる通信によって番組を提供するようにしてもよい。
本明細書は、２００１年４月１６日出願の特願２００１−１１６５６１に基づくものである。この内容をここに含めておく。
以上の説明から明らかなように、本発明によれば、番組編成スケジュールで編成された放送時間通りに番組を放送すると共に、放送時間を超えた映像・音声も同時に放送することにより、番組製作者側は放送時間の制約を超えた番組制作ができる。また、視聴者は、ひとつの番組に対して、放送時間内のバージョンと放送時間以上の映像・音声が加わったロングバージョンの２種類の楽しみ方ができる。
産業上の利用可能性
本発明は、マルチビュー蓄積放送サービスに関する装置に用いるに好適である。
【図面の簡単な説明】
図１は、従来の放送システムの構成を示すブロック図、
図２は、従来のビデオ編集の例を示す図、
図３は、従来の番組スケジュールの構成を示す図、
図４は、従来の番組情報の構成を示す図、
図５は、従来の番組スケジュール情報テーブルの構成を示す図、
図６は、従来の多重化装置の出力イメージ図、
図７は、従来のデータ受信装置の構成例を示すブロック図、
図８は、本発明の実施の形態１に係る蓄積番組放送サービスを行う放送システム構成を示すブロック図、
図９は、本発明の実施の形態１に係る蓄積番組放送サービスを行う放送システムのデータ送信装置の構成を示す図、
図１０は、本発明の実施の形態１に係るカット素材の生成方法を表現する図、
図１１は、本発明の実施の形態１に係る蓄積再生制御テーブルの構成を示す図、
図１２は、本発明の実施の形態１に係る蓄積再生制御テーブルの生成処理フローを示す図、
図１３は、本発明の実施の形態１に係る蓄積再生制御テーブルの生成処理フローを示す図、
図１４は、本発明の実施の形態１に係る番組スケジュールの構成を示す図、
図１５は、本発明の実施の形態１に係る番組情報の構成を示す図、
図１６は、本発明の実施の形態１に係る番組開始時刻付蓄積再生制御テーブルの構成を示す図、
図１７は、本発明の実施の形態１に係る番組スケジュール情報テーブルの構成を示す図、
図１８は、本発明の実施の形態１に係る多重化装置の出力イメージ図、
図１９は、本発明の実施の形態１に係る蓄積番組放送サービスを行う放送システムのデータ受信装置の構成を示す図、
図２０は、本発明の実施の形態１に係る蓄積処理の処理フローを示す図、
図２１は、本発明の実施の形態１に係る蓄積再生番組を蓄積した時の蓄積部が管理する情報の構成を示す図、
図２２は、本発明の実施の形態１に係る蓄積再生開始処理フローを示す図、
図２３は、本発明の実施の形態１に係る蓄積番組再生処理フローを示す図、
図２４は、本発明の実施の形態１に係る蓄積番組再生処理フローを示す図、
図２５は、本発明の実施の形態１に係る蓄積番組再生処理フローを示す図、
図２６は、本発明の実施の形態１に係る蓄積番組の再生方法を表現する図、
図２７は、本発明の実施の形態２に係る番組スケジュールの構成を示す図、
図２８は、本発明の実施の形態２に係る蓄積再生制御テーブルの構成を示す図、
図２９は、本発明の実施の形態２に係る番組情報の構成を示す図、
図３０は、本発明の実施の形態２に係る番組スケジュール情報テーブルの構成を示す図、
図３１は、本発明の実施の形態３に係る蓄積番組放送サービスを行う放送システム構成を示すブロック図、及び、
図３２は、本発明の実施の形態３に係る課金処理フローを示す図である。
【図１】
2002087233.tif 000003
【図２】
2002087233.tif 000004
【図３】
2002087233.tif 000005
【図４】
2002087233.tif 000006
【図５】
2002087233.tif 000007
【図６】
2002087233.tif 000008
【図７】
2002087233.tif 000009
【図８】
2002087233.tif 000010
【図９】
2002087233.tif 000011
【図１０】
2002087233.tif 000012
【図１１】
2002087233.tif 000013
【図１２】
2002087233.tif 000014
【図１３】
2002087233.tif 000015
【図１４】
2002087233.tif 000016
【図１５】
2002087233.tif 000017
【図１６】
2002087233.tif 000018
【図１７】
2002087233.tif 000019
【図１８】
2002087233.tif 000020
【図１９】
2002087233.tif 000021
【図２０】
2002087233.tif 000022
【図２１】
2002087233.tif 000023
【図２２】
2002087233.tif 000024
【図２３】
2002087233.tif 000025
【図２４】
2002087233.tif 000026
【図２５】
2002087233.tif 000027
【図２６】
2002087233.tif 000028
【図２７】
2002087233.tif 000029
【図２８】
2002087233.tif 000030
【図２９】
2002087233.tif 000031
【図３０】
2002087233.tif 000032
【図３１】
2002087233.tif 000033
【図３２】
2002087233.tif 000034
【手続補正書】
【提出日】平成15年3月3日(2003.3.3)
【手続補正１】
【補正対象書類名】明細書
【補正対象項目名】特許請求の範囲
【補正方法】変更
【補正の内容】
【特許請求の範囲】
【請求項１】
削除
【請求項２】
削除
【請求項３】
削除
【請求項４】
削除
【請求項５】
削除
【請求項６】
削除
【請求項７】
削除
【請求項８】
削除
【請求項９】
削除
【請求項１０】
削除
【請求項１１】
削除
【請求項１２】
削除
【請求項１３】
削除
【請求項１４】
削除
【請求項１５】
削除
【請求項１６】
削除
【請求項１７】
削除
【請求項１８】
削除
【請求項１９】
削除
【請求項２０】
削除
【請求項２１】
削除
【請求項２２】
削除
【請求項２３】
削除
【請求項２４】
削除
【請求項２５】
削除
【請求項２６】
削除
【請求項２７】
削除
【請求項２８】
削除
【請求項２９】
素材データの一部をカット素材データとしてカットすることによって本番用素材データを生成し、当該生成された本番用素材データを送信するデータ送信装置であって、前記カット素材データがカットされた前記本番用素材データ上の位置を示す蓄積再生制御テーブルを生成する蓄積再生制御テーブル生成部を具備し、
前記蓄積再生制御テーブルは、当該蓄積再生制御テーブルと番組に関する付属情報である番組案内情報とをリンクさせるための蓄積再生制御識別子を有するデータ送信装置。
【請求項３０】
伝送路を利用してデータを受信するマルチビュー蓄積放送受信装置であって、
データ及び番組情報を受信する受信部と、
前記データを蓄積する蓄積部と、
前記番組情報に含まれる識別子であって前記データに含まれる番組データが蓄積放送であるか否かを示す蓄積再生制御識別子が有効である場合に、前記蓄積再生制御識別子とリンクする蓄積再生制御テーブルと番組スケジュール情報テーブルとを獲得し、前記番組スケジュール情報テーブルに含まれる１以上のコンポーネント情報に対応する映像・音声コンポーネントを受信すると共に、前記蓄積再生制御テーブルに記載された再生手順に従って１つづつの映像・音声コンポーネントに結合して前記蓄積部へ蓄積するように制御する番組案内情報制御部と、
を具備するデータ受信装置。
【請求項３１】
前記番組案内情報制御部は、前記蓄積再生制御テーブルに記載された再生手順に従って、前記１以上のコンポーネント情報に対応する映像・音声コンポーネントをつなぎあわせて前記１つづつの映像・音声コンポーネントを生成し、前記蓄積部へ蓄積する請求の範囲３０記載のデータ受信装置。
【請求項３２】
前記番組案内情報制御部は、前記蓄積再生制御テーブルに記載された再生手順に従って、前記１以上のコンポーネント情報に対応する映像・音声コンポーネントを切り替えて前記１つづつの映像・音声コンポーネントを生成し、前記蓄積部へ蓄積する請求の範囲３０記載のデータ受信装置。
【請求項３３】
前記番組情報は、放送される番組に関する番組案内情報を含み、当該番組案内情報に含まれる番組スケジュール情報の個別番組情報中に蓄積再生用のコンポーネント情報が登録されている蓄積番組を蓄積する際、前記番組スケジュール情報記載の該当蓄積番組の番組開始時刻と蓄積開始時刻とを記録すると共に、前記個別番組情報に記載の全てのコンポーネント情報に対応する映像コンポーネント、音声コンポーネントと、前記蓄積再生用のコンポーネント情報記載の蓄積再生制御識別子を持つ蓄積再生制御テーブルを前記蓄積部に蓄積する、請求の範囲３０記載のデータ受信装置。
【請求項３４】
前記番組開始時刻と蓄積開始時刻から、前記蓄積番組の各映像コンポーネント、音声コンポーネントを蓄積していない時間を算出し、該当蓄積番組を前記蓄積再生制御テーブルに登録されているカウンタ情報に従って各コンポーネントを再生する際に、各コンポーネントを蓄積していない時間は各コンポーネントを再生しない請求の範囲３３記載のデータ受信装置。
【請求項３５】
前記蓄積再生制御テーブルの情報と番組に関する付属情報である番組案内情報とを使って、蓄積再生番組をユーザに選択させるように表示する画面制御部を有する請求の範囲３１記載のデータ受信装置。
【請求項３６】
蓄積再生制御識別子と本番素材及びカット素材に対する映像コンポーネント情報・音声コンポーネント情報とカット開始場所の時計カウンタ情報とカット終了後の時計カウンタ情報を受け取り、本番素材とカット素材の再生切替時刻を記す切替時刻カウンタと、前記切替時刻に再生を切替るべき切替先の映像コンポーネントと音声コンポーネントからなる切替カウンタの設定値として、それぞれ切替時刻カウンタをカット開始場所の時計カウンタ、映像コンポーネントと音声コンポーネントをカット素材の映像コンポーネント及び音声コンポーネントとした切替カウンタと、切替時刻カウンタをカット終了場所の時計カウンタ、映像コンポーネント情報と音声コンポーネント情報を本番素材の映像コンポーネント及び音声コンポーネントとした切替カウンタを生成し、すべての切替カウンタを切替時刻カウンタ順に並べ、前記番組再生制御識別子と合わせて蓄積再生制御テーブルを生成することを特徴とする蓄積再生制御テーブル生成装置。
【請求項３７】
番組編成装置から少なくともチャンネル識別子とチャンネルに対する本番素材の映像・音声及びカット素材の映像・音声に対応した映像コンポーネント情報と音声コンポーネント情報と各番組の番組識別子と番組開始時刻で構成される番組スケジュールと、各番組の番組識別子と番組の継続時間と番組名と蓄積再生制御識別子と蓄積再生内容と蓄積再生継続時間からなる番組情報を受け取って、チャンネル識別子と、当該番組案内情報の内容に変更があったときに番号を変更し、データ受信装置に当該番組案内情報に変更があったことを認識させるためのバージョン番号と、当該チャンネルで放送される番組に関して番組開始時刻順に番組識別子と番組開始時刻と番組継続時間と番組内容情報と本番素材の映像・音声に関する識別情報を記載した番組素材に対するコンポーネント情報から構成される個別番組情報を記載した番組スケジュール情報テーブルを生成する際に、前記番組情報中の番組のうち前記蓄積再生制御識別子に有効値が登録されている場合、種別が蓄積再生番組、映像・音声がカット素材の映像・音声コンポーネント情報、番組情報中の蓄積再生内容及び蓄積再生継続時間を合わせた蓄積再生用のコンポーネント情報を個別番組情報に加えて番組スケジュール情報テーブルを生成すると共に、蓄積再生制御テーブル生成装置から蓄積再生制御テーブルを受け取り、当該蓄積再生制御テーブル中の番組開始時刻として蓄積再生制御識別子と同値の蓄積再生制御識別子を持つ番組の開始時刻を前記蓄積再生制御テーブルに登録し、前記番組スケジュール情報テーブルと蓄積再生制御テーブルを合わせて番組案内情報として生成することを特徴とする番組案内情報生成装置。
【手続補正２】
【補正対象書類名】明細書
【補正対象項目名】０００１
【補正方法】変更
【補正の内容】
【０００１】
明    細    書
マルチビュー蓄積放送サービスを実現するための装置
技術分野
本発明は、デジタル放送におけるマルチビュー蓄積放送サービスシステムを実現するための装置に関する。
背景技術
従来の番組の放送の技術を図１の放送システムを用いて説明する。
放送システムにおいて、２００１は番組を作成するために撮影された複数のビデオ素材、２００２は前記ビデオ素材２００１を編集して１本の番組を作成するためのビデオ編集装置、２００３は前記ビデオ編集装置２００２にて前記ビデオ素材２００１を編集して作った編集済みビデオ、２００４は番組編成を行い、番組スケジュール及び番組情報を出力する番組編成装置、２００５は前記編集済みビデオ２００３を受け取り、前記番組編成装置２００４から受け取った番組編成スケジュールに従って編集済みビデオを再生するビデオ再生装置、２００６は前記ビデオ再生装置２００５が再生した映像・音声を受け取り、デジタルＡＶストリームに変換して出力するＡＶストリーム生成送出装置、２００７は前記番組編成装置２００４から番組スケジュールと番組情報を受け取り、番組案内情報を生成し送出する番組案内情報生成送出装置、２００８は前記ＡＶストリーム生成送出装置２００６と番組案内情報生成送出装置２００７からそれぞれデジタルＡＶストリームと番組案内情報を受け取り、多重化して送出する多重化装置である。
以上のように構成された放送システムにおいて、番組を放送する動作を以下に説明する。




【国際調査報告】
2002087233.tif 000035
2002087233.tif 000036
2002087233.tif 000037
2002087233.tif 000038
2002087233.tif 000039
2002087233.tif 000040